(57)【特許請求の範囲】
【請求項１】
コレステリック液晶とは異なる素材を用いて所定波長の色を表示する記憶性表示素子を有する第１の表示体に対し、前記第１の表示体の表示の制御に用いられ、所定の制御タイミングで電圧値が切り替わる第１の信号を出力する第１の制御手段と、
前記第１の表示体の上に配置され、コレステリック液晶分子を有し、前記コレステリック液晶分子が所定の配向状態にあるときに前記所定波長と異なる波長の光を反射する液晶層を有する第２の表示体に対し、前記制御タイミングに基づいて定められるタイミングで、前記コレステリック液晶分子の配向状態を変化させる電圧値を有する第２の信号を出力する第２の制御手段と
を有し、
前記第２の制御手段が、前記制御タイミングの後所定時間は前記コレステリック液晶分子の配向状態をホメオトロピック配向にする電圧値を有する信号を出力し、前記所定時間の経過後は前記コレステリック液晶分子の配向状態をフォーカルコニック配向にする電圧値を有する信号を出力する表示制御装置。
【請求項２】
前記第２の制御手段が、前記制御タイミングと一致しないタイミングで、前記第２の信号の電圧値を切り換える
ことを特徴とする請求項１に記載の表示制御装置。
【請求項３】
前記記憶性表示素子が電気泳動表示素子であり、
前記制御タイミングは、前記第１の信号の電圧値が、前記第１の表示体の全面を前記所定の色に変化させるリセット電圧に切り替わるタイミングであり、
前記第２の制御手段は、前記制御タイミング後、前記第１の信号の電圧値が前記リセット電圧である間は、前記コレステリック液晶分子の配向状態をホメオトロピック配向以外の配向にする信号を出力する
ことを特徴とする請求項１に記載の表示制御装置。
【発明の詳細な説明】
【技術分野】
【０００１】
本発明は、記憶性表示素子を有する表示体に関する。
【背景技術】
【０００２】
従来の表示装置よりも薄い、「電子ペーパー」といわれる情報表示装置の開発が行われ
ている。電子ペーパーは低消費電力であることが要求される。そのため、電子ペーパーに
は電気泳動ディスプレイ（Electrophoretic Display、以下「ＥＰＤ」という）のような
記憶性表示体が用いられる。ここで、記憶性表示体とは、電力を供給しなくても表示を維
持できる表示体をいう。
【０００３】
近年、電子ペーパーでカラー表示をしたいという要求がある。特に、文字を主体とする
情報（例えば、新聞記事・報告書・文献など）を閲覧する用途に用いられる電子ペーパー
においては、特定の文字部分に重ねて色をつけるマーキング表示や、特定の文字の下に色
の線を引くアンダーライン表示をしたいという要求がある。
【０００４】
カラー化をする技術のうち代表的なものは、カラーフィルタ方式である。カラーフィル
タ方式によれば、複数の色（例えば赤・緑・青の３色）のカラーフィルタを有する画素が
並べられる（以下このように画素を配置することを「配置混色方式」という）。配置混色
方式によれば、データにおける１つの画素を表示するのに、表示体の３つの画素が用いら
れる。すなわち、総画素数が同一の表示体を用いることを考えると、カラー表示は単色表
示と比較して解像度が１／３に低下するという問題がある。また、詳しくは触れないが、
反射率が低下するという問題もある。
【０００５】
配置混色方式による問題を回避するために、表示体を積層する技術が知られている。特
許文献１は、ＥＰＤの上に有機ＥＬ（Electroluminescence）ディスプレイを積層する技
術を開示している。特許文献２は、ＥＰＤの上にＥＰＤより高速表示可能な表示装置を積
層する技術を開示している。いずれの文献も、「表示の描き換えが遅い」というＥＰＤの
欠点を補うための技術を開示している。
【０００６】
【特許文献１】特開２００４−３０２３２１号公報
【特許文献２】ＷＯ２００５／０３４０６８国際公開パンフレット
【発明の開示】
【発明が解決しようとする課題】
【０００７】
特許文献１および２に記載の技術は、より高速表示可能な、すなわち消費電力の大きい
表示体をＥＰＤの上に積層するものである。
これに対し本発明は、より低消費電力でカラー表示を行う表示体を提供する。
【課題を解決するための手段】
【０００８】
上述の課題を解決するため、本発明は、コレステリック液晶とは異なる素材を用いて所
定波長の色を表示する記憶性表示素子を有する第１の表示体に対し、前記第１の表示体の
表示の制御に用いられ、所定の制御タイミングで電圧値が切り替わる第１の信号を出力す
る第１の制御手段と、前記第１の表示体の上に配置され、コレステリック液晶分子を有し
、前記コレステリック液晶分子が所定の配向状態にあるときに前記所定波長と異なる波長
の光を反射する液晶層を有する第２の表示体に対し、前記制御タイミングに基づいて定め
られるタイミングで、前記コレステリック液晶分子の配向状態を変化させる電圧値を有す
る第２の信号を出力する第２の制御手段とを有する表示制御装置を提供する。
この表示制御装置によれば、制御タイミングに基づいて定められるタイミングで第２の
信号が出力される。
【０００９】
好ましい態様において、この表示制御装置は、前記第２の制御手段が、前記制御タイミ
ングの後所定時間は前記コレステリック液晶分子の配向状態をホメオトロピック配向にす
る電圧値を有する信号を出力し、前記所定時間の経過後は前記コレステリック液晶分子の
配向状態をフォーカルコニック配向にする電圧値を有する信号を出力してもよい。
この表示制御装置によれば、コレステリック液晶分子の配向状態は、制御タイミングの
後、所定時間ホメオトロピック配向となった後フォーカルコニック配向となる。
【００１０】
別の好ましい態様において、この表示制御装置は、前記第２の制御手段が、前記制御タ
イミングと一致しないタイミングで、前記第２の信号の電圧値を切り換えてもよい。
この表示制御装置によれば、第１の信号と第２の信号の電圧値が切り替わるタイミング
は一致しない。
【００１１】
さらに別の好ましい態様において、この表示制御装置は、前記記憶性表示素子が電気泳
動表示素子であり、前記制御タイミングは、前記第１の信号の電圧値が、前記第１の表示
体の全面を前記所定の色に変化させるリセット電圧に切り替わるタイミングであり、前記
第２の制御手段は、前記制御タイミング後、前記第１の信号の電圧値が前記リセット電圧
である間は、前記コレステリック液晶分子の配向状態をホメオトロピック配向以外の配向
にする信号を出力してもよい。
この表示制御装置によれば、電気泳動表示素子にリセット電圧が印加されている間は、
コレステリック液晶分子の配向状態はホメオトロピック配向以外の配向となる。
【００１２】
また、本発明は、コレステリック液晶とは異なる素材を用いて所定波長の色を表示する
記憶性表示素子を有する第１の表示体と、前記第１の表示体の上に配置され、コレステリ
ック液晶分子を有し、前記コレステリック液晶分子が所定の配向状態にあるときに前記所
定波長と異なる波長の光を反射する液晶層を有する第２の表示体とを有する表示体を提供
する。
この表示体によれば、第２の表示体が第１の表示体と異なる色を表示する。
【００１３】
好ましい態様において、この表示体は、前記第２の表示体が、複数のコレステリック液
晶層を有し、前記複数のコレステリック液晶層の各々が、それぞれ異なる波長の光を反射
してもよい。
この表示体によれば、第２の表示体が複数の色を表示する。
【００１４】
別の好ましい態様において、この表示体は、前記第２の表示体の解像度が、前記第１の
表示体の解像度よりも低くてもよい。
この表示体によれば、第２の表示体は第１の表示体よりも低解像度である。
【発明を実施するための最良の形態】
【００１５】
１．構成
図１は、一実施形態に係る情報表示装置１０の構成を示す図である。情報表示装置１０
は、メモリ（図示略）に記憶した情報を表示する装置、例えば電子ペーパーである。表示
制御部１００は、表示体２００を駆動する装置である。図１においては、本実施形態の説
明に必要な構成のみ示しているが、情報表示装置１０はこれ以外にも、制御装置、記憶装
置、入力装置などを有している。
【００１６】
表示体２００は、ＥＰＤ２１０（第１の表示体）およびコレステリック液晶ディスプレ
イ（Cholesteric Liquid Crystal Display、以下「Ｃｈ−ＬＣＤ」という）２２０（第２
の表示体）の２つの表示体を有する表示体である。図１には示されていないが、ＥＰＤ２
１０およびＣｈ−ＬＣＤ２２０は、情報表示装置１０の厚さ方向、すなわち、表示面に垂
直な方向に積層されている。
【００１７】
表示制御部１００は、ＥＰＤ駆動部１１０（第１の制御手段）およびＣｈ−ＬＣＤ駆動
部１２０（第２の制御手段）の２つの駆動部を有する。ＥＰＤ駆動部１１０は、ＥＰＤ２
１０の表示を制御するため所定の制御タイミングで電圧値が切り替わる制御信号（第１の
信号）を出力する。Ｃｈ−ＬＣＤ駆動部１２０は、Ｃｈ−ＬＣＤ２２０の表示を制御する
ため、制御タイミングに基づいて定められるタイミングで電圧値が切り替わる制御信号（
第２の信号）を出力する。ＣＰＵ１３０は、情報表示装置１０の構成要素を制御する制御
装置である。ＣＰＵ１３０が持つ機能のうち、ここでは特にＥＰＤ駆動部１１０およびＣ
ｈ−ＬＣＤ駆動部１２０を制御する機能について説明するため、図１においてＣＰＵ１３
０を表示制御部１００の要素として示している。しかし、ＣＰＵ１３０が有する機能はこ
れに限定されるものではない。表示制御部１００の詳細は後述する。
【００１８】
図２は、表示体２００の断面構造を示す図である。表示面を上としたとき、Ｃｈ−ＬＣ
Ｄ２２０は、ＥＰＤ２１０の上に配置される。Ｃｈ−ＬＣＤ２２０は、コレステリック液
晶分子を有する表示体である。コレステリック液晶分子を含むコレステリック液晶層２２
３は、ガラス基板２２１およびガラス基板２２５に挟まれている。ガラス基板２２１の下
面には、データ電極（列電極）２２２が設けられている。ガラス基板２２５の上面には、
走査電極（行電極）２２４が設けられている。表示体２００を上からみたときにデータ電
極２２２と走査電極２２４が交差する位置に対応して画素が形成される。１つの画素にお
いて、コレステリック液晶層２２３には、データ電極２２２と走査電極２２４の電位差に
相当する電圧が印加される。コレステリック液晶層２２３に印加される電圧（より正確に
いうと電力）によって、コレステリック液晶分子の配向が決まる。コレステリック液晶分
子は、その配向状態に応じて特定の波長の光（例えば赤）を反射する。ここでコレステリ
ック液晶層２２３には、カイラル剤（螺旋誘起剤）が添加されている。カイラル剤の濃度
を調整することにより、コレステリック液晶層２２３が反射する光の波長を所望の波長に
設計することができる。
【００１９】
図３−５は、コレステリック液晶分子の配向状態を示す図である。図３はプレーナ配向
（以下「Ｐ配向」という）を、図４はフォーカルコニック配向（以下「Ｆ配向」という）
を、図５はホメオトロピック配向（以下「Ｈ配向」という）を示している。Ｐ配向におい
て、コレステリック液晶層２２３は入射光のうち特定の波長λの光を反射する。この現象
を「特定波長反射」という。Ｆ配向において、コレステリック液晶層２２３は入射光を弱
く散乱、つまりほぼ透過する。このときコレステリック液晶層２２３は透明に見えるので
、上から見るとＥＰＤ２１０に表示された画像が見える。コレステリック液晶は双安定性
の材料であり、電力を供給しなくてもＰ配向またはＦ配向を維持できる。コレステリック
液晶分子がＰ配向・Ｆ配向のいずれをとるかは、コレステリック液晶層２２３に印加され
る電圧により決まる。
【００２０】
Ｈ配向において、コレステリック液晶層２２３は入射光を透過する。Ｈ配向を維持する
には、コレステリック液晶層２２３に所定の電圧（例えば４０Ｖ）を印加する必要がある
。Ｈ配向とＦ配向は入射光を透過する点において共通している。光の透過率はＦ配向より
もＨ配向の方が高いが、Ｈ配向は消費電力も高い。
【００２１】
再び図２を参照して説明する。ＥＰＤ２１０は、コレステリック液晶とは異なる素材、
ここでは、電気泳動マイクロカプセル２１４により形成される。電気泳動マイクロカプセ
ル２１４は、内部に白色粒子２１５および黒色粒子２１６を含む。電気泳動マイクロカプ
セル２１４は、シリコン樹脂などのバインダ２１３により共通電極２１２を設けたガラス
基板２１１に塗布される。共通電極２１２は、ＩＴＯ（Indium Titan Oxide）など透明な
材料により形成された電極である。バインダ２１３は、ガラス基板２１１および薄膜トラ
ンジスタ（Thin Film Transistor、ＴＦＴ）基板２１８に挟まれている。ＴＦＴ基板２１
８は、ガラス基板上にＴＦＴを形成したものである。ＴＦＴ基板２１８の上面には、画素
電極２１７が設けられている。１つの画素電極に対し、１つのＴＦＴが設けられている。
ＴＦＴは、画素電極２１７に与えられる信号をオン・オフするスイッチング素子である。
電気泳動マイクロカプセル２１４には、共通電極２１２と画素電極２１７の電位差に相当
する電圧が印加される。白色粒子２１５は負に帯電しており、共通電極２１２と画素電極
２１７の電位差に応じて共通電極２１２側または画素電極２１７側に移動する。白色粒子
２１５が共通電極２１２側に移動すると、白が表示される。白色粒子２１５が画素電極２
１７側に移動すると、黒が表示される。このように、ＥＰＤ２１０は、コレステリック液
晶層２２３が反射する波長と異なる波長の色を表示する。
【００２２】
図６は、表示体２００に表示される画像を例示する図である。ＥＰＤ２１０は、表示の
対象となる主たるコンテンツを表示する。この例では、「あいうえおかきくけこさしすせ
そたちつてとなにぬねの」という文字が表示されている。文字は黒色で、文字以外の背景
は白で表示される。Ｃｈ−ＬＣＤ２２０は、これらの色とは異なる色、この例では赤で、
線、四角形、円その他の図形を表示する。マーカーＭは、文字に重ねて表示される四角形
である。下線Ｕは、文字の下に表示される線である。これらの図形以外の部分は透明であ
り、表示体２００を上から見るとＥＰＤ２１０に表示された画像が見える。ユーザから見
ると、特定の文字にマーカーや下線が付された画像が見える。
【００２３】
２．動作
続いて、表示制御部１００の動作について説明する。以下、カラー表示を行う場合（例
１）、カラー表示を行わず高画質化を図る場合（例２）、カラー表示を行わず低消費電力
化を図る場合（例３）について説明する。
【００２４】
２−１．例１（カラー表示）
図７は、例１における制御信号の切り替えタイミングを示す図である。図８は、例１に
おける表示制御部１００の動作を示すフローチャートである。図８のフローは、例えば、
カラー表示を行うことを示す、画面の描き換え指示が入力されたことを契機として開始さ
れる。
【００２５】
ステップＳ１００において、ＣＰＵ１３０は、コレステリック液晶分子をＦ配向にする
（以下この処理を「Ｆ配向駆動」という）制御信号を出力するように、Ｃｈ−ＬＣＤ駆動
部１２０を制御する。Ｃｈ−ＬＣＤ駆動部１２０は、ＣＰＵ１３０に従って制御信号を出
力する。
ステップＳ１０１において、ＣＰＵ１３０は、所定の時間Ｔ１１待機する。この間、Ｃ
ｈ−ＬＣＤ駆動部１２０は、Ｆ配向駆動する制御信号を出力する。こうしてコレステリッ
ク液晶分子がＦ配向になることにより、ユーザはＥＰＤ２１０において描き換えられる画
像を見ることができる。
【００２６】
ステップＳ１０２において、ＣＰＵ１３０は、ＥＰＤ２１０の全面に黒を表示させる（
以下この処理を「黒リセット駆動」という）制御信号を出力するように、ＥＰＤ駆動部１
１０を制御する。ＥＰＤ駆動部１１０は、ＣＰＵ１３０に従って制御信号を出力する。す
なわち、ステップＳ１０１の時間Ｔ１１は、Ｆ配向駆動を開始するタイミングと黒リセッ
ト駆動を開始するタイミングとの差を示す。
ステップＳ１０３において、ＣＰＵ１３０は、所定の時間Ｔ１２待機する。この間、Ｅ
ＰＤ駆動部１１０は、ＥＰＤ２１０を黒リセット駆動する制御信号を出力する。また、こ
の間も、Ｃｈ−ＬＣＤ駆動部１２０は、Ｆ配向駆動する制御信号を出力する。すなわち、
Ｃｈ−ＬＣＤ２２０は、時間Ｔ１１＋Ｔ１２の間、Ｆ配向駆動される。
【００２７】
ステップＳ１０４において、ＣＰＵ１３０は、Ｃｈ−ＬＣＤ２２０の表示を描き換える
制御信号を出力するように、Ｃｈ−ＬＣＤ駆動部１２０を制御する。
ステップＳ１０５において、ＣＰＵ１３０は、所定の時間Ｔ１３待機する。この間、Ｃ
ｈ−ＬＣＤ駆動部１２０は、Ｃｈ−ＬＣＤ２２０の表示を描き換える制御信号を出力する
。また、この間も、ＥＰＤ駆動部１１０は、ＥＰＤ２１０を黒リセット駆動する制御信号
を出力する。すなわち、ＥＰＤ２１０は、時間Ｔ１２＋Ｔ１３の間、黒リセット駆動され
る。
【００２８】
ステップＳ１０６において、ＣＰＵ１３０は、ＥＰＤ２１０の全面に白を表示させる（
以下この処理を「白リセット駆動」という）制御信号を出力するように、ＥＰＤ駆動部１
１０を制御する。ＥＰＤ駆動部１１０は、ＣＰＵ１３０に従って制御信号を出力する。
ステップＳ１０７において、ＣＰＵ１３０は、所定の時間Ｔ１４待機する。この間、Ｅ
ＰＤ駆動部１１０は、ＥＰＤ２１０を白リセット駆動する制御信号を出力する。また、こ
の間も、Ｃｈ−ＬＣＤ駆動部１２０は、Ｃｈ−ＬＣＤ２２０の表示を描き換える制御信号
を出力する。
【００２９】
ステップＳ１０８において、ＣＰＵ１３０は、ＥＰＤ２１０の表示を描き換える制御信
号を出力するように、ＥＰＤ駆動部１１０を制御する。ＥＰＤ駆動部１１０は、ＣＰＵ１
３０に従って制御信号を出力する。
ステップＳ１０９において、ＣＰＵ１３０は、所定の時間Ｔ１５待機する。この間、Ｅ
ＰＤ駆動部１１０は、ＥＰＤ２１０の表示を描き換える制御信号を出力する。時間Ｔ１５
が経過すると、ＣＰＵ１３０は、ＥＰＤ２１０への電力供給を停止するように、ＥＰＤ駆
動部１１０を制御する。以降、ＥＰＤ２１０は、電力の供給なしに表示を維持する。また
、この間も、Ｃｈ−ＬＣＤ駆動部１２０は、Ｃｈ−ＬＣＤ２２０の表示を描き換える制御
信号を出力する。
【００３０】
ステップＳ１１０において、ＣＰＵ１３０は、所定の時間Ｔ１６待機する。この間も、
Ｃｈ−ＬＣＤ駆動部１２０は、Ｃｈ−ＬＣＤ２２０の表示を描き換える制御信号を出力す
る。すなわち、Ｃｈ−ＬＣＤ２２０は、時間Ｔ１３＋Ｔ１４＋Ｔ１５＋Ｔ１６の間、描き
換えが行われる。
【００３１】
以上で説明したように、例１では、ＥＰＤ２１０とＣｈ−ＬＣＤ２２０とで、印加電圧
の切り替えタイミングが一致しないように、すなわち印加電圧の切り替えタイミングが異
なるように、ＥＰＤ２１０およびＣｈ−ＬＣＤ２２０が制御される。これによりシステム
のピーク電力が下がる（ピーク電力の上昇が抑制される）ので、バッテリ等の電源の内部
抵抗による電圧降下が低減される。すなわち、バッテリがより長持ちするようになる。
【００３２】
２−２．例２（カラー表示を行わず高画質化）
図９は、例２における制御信号の切り替えタイミングを示す図である。図１０は、例２
における表示制御部１００の動作を示すフローチャートである。図１０のフローは、例え
ば、カラー表示を行わず高画質化を行うことを示す、画面の描き換え指示が入力されたこ
とを契機として開始される。
【００３３】
ステップＳ２００において、ＣＰＵ１３０は、Ｃｈ−ＬＣＤ２２０をＦ配向駆動するよ
うにＣｈ−ＬＣＤ駆動部１２０を制御する。Ｃｈ−ＬＣＤ駆動部１２０は、ＣＰＵ１３０
に従って制御信号を出力する。
ステップＳ２０１において、ＣＰＵ１３０は、所定の時間Ｔ２１待機する。この間、Ｃ
ｈ−ＬＣＤ駆動部１２０は、Ｆ配向駆動する制御信号を出力する。
【００３４】
ステップＳ２０２において、ＣＰＵ１３０は、ＥＰＤ２１０を黒リセット駆動するよう
に、ＥＰＤ駆動部１１０を制御する。ＥＰＤ駆動部１１０は、ＣＰＵ１３０に従って制御
信号を出力する。
ステップＳ２０３において、ＣＰＵ１３０は、所定の時間Ｔ２２待機する。この間、Ｅ
ＰＤ駆動部１１０は、ＥＰＤ２１０を黒リセット駆動する制御信号を出力する。また、こ
の間も、Ｃｈ−ＬＣＤ駆動部１２０は、Ｆ配向駆動する制御信号を出力する。
【００３５】
ステップＳ２０４において、ＣＰＵ１３０は、ＥＰＤ２１０を白リセット駆動するよう
に、ＥＰＤ駆動部１１０を制御する。ＥＰＤ駆動部１１０は、ＣＰＵ１３０に従って制御
信号を出力する。
ステップＳ２０５において、ＣＰＵ１３０は、所定の時間Ｔ２３待機する。この間、Ｅ
ＰＤ駆動部１１０は、ＥＰＤ２１０を白リセット駆動する制御信号を出力する。また、こ
の間も、Ｃｈ−ＬＣＤ駆動部１２０は、Ｆ配向駆動する制御信号を出力する。
【００３６】
ステップＳ２０６において、ＣＰＵ１３０は、ＥＰＤ２１０の表示を描き換える制御信
号を出力するように、ＥＰＤ駆動部１１０を制御する。ＥＰＤ駆動部１１０は、ＣＰＵ１
３０に従って制御信号を出力する。
ステップＳ２０７において、ＣＰＵ１３０は、所定の時間Ｔ２４待機する。この間、Ｅ
ＰＤ駆動部１１０は、ＥＰＤ２１０の表示を描き換える制御信号を出力する。時間Ｔ２４
が経過すると、ＣＰＵ１３０は、ＥＰＤ２１０への電力供給を停止するように、ＥＰＤ駆
動部１１０を制御する。以降、ＥＰＤ２１０は、電力の供給なしに表示を維持する。また
、この間も、Ｃｈ−ＬＣＤ駆動部１２０は、Ｆ配向駆動する制御信号を出力する。すなわ
ち、Ｃｈ−ＬＣＤ２２０は、時間Ｔ２１＋Ｔ２２＋Ｔ２３＋Ｔ２４の間、Ｆ配向駆動され
る。
【００３７】
ステップＳ２０８において、ＣＰＵ１３０は、コレステリック液晶分子をＨ配向にする
（以下この処理を「Ｈ配向駆動」という）制御信号を出力するように、Ｃｈ−ＬＣＤ駆動
部１２０を制御する。Ｃｈ−ＬＣＤ駆動部１２０は、ＣＰＵ１３０に従って制御信号を出
力する。
ステップＳ２０９において、ＣＰＵ１３０は、所定の時間Ｔ２５待機する。この間、Ｃ
ｈ−ＬＣＤ駆動部１２０は、Ｈ配向駆動する制御信号を出力する。時間Ｔ２５が経過する
と、ＣＰＵ１３０は、Ｃｈ−ＬＣＤ２２０への電力供給を停止するように、Ｃｈ−ＬＣＤ
駆動部１２０を制御する。以降、Ｃｈ−ＬＣＤ２２０は、電力の供給なしに表示を維持す
る。
【００３８】
以上で説明したように例２によれば、ＥＰＤ２１０の描き換えが行われた後、所定期間
は、コレステリック液晶分子をＨ配向にする制御信号がＣｈ−ＬＣＤ２２０に供給される
。Ｈ配向はＦ配向よりも透過率が高いので、ＥＰＤ２１０の描き換え後、所定期間は、Ｃ
ｈ−ＬＣＤ２２０はより透過率の高い、すなわちより透明な状態になる。これにより、ユ
ーザは、ＥＰＤ２１０の画像をより明確に認識することができる。また、Ｃｈ−ＬＣＤ２
２０への電力の供給は必要なときのみ行われるので、消費電力の上昇が抑えられる。
【００３９】
２−３．例３（カラー表示を行わず低消費電力化）
図１１は、例３における制御信号の切り替えタイミングを示す図である。図１２は、例
２における表示制御部１００の動作を示すフローチャートである。図１２のフローは、例
えば、カラー表示を行わず低消費電力化を行うことを示す、画面の描き換え指示が入力さ
れたことを契機として開始される。
【００４０】
図１２のフローは、図１０のフローにおいてＨ配向駆動を行わないものに相当する。す
なわち、ステップＳ３００−Ｓ３０６の処理は、図１０のステップＳ２００−Ｓ２０６の
処理と同様に行われる。ステップＳ３０７において、所定の時間Ｔ２４待機する。この間
、ＥＰＤ駆動部１１０は、ＥＰＤ２１０の表示を描き換える制御信号を出力する。また、
この間、Ｃｈ−ＬＣＤ駆動部１２０は、Ｆ配向駆動する制御信号を出力する。時間Ｔ２４
が経過すると、ＣＰＵ１３０は、ＥＰＤ２１０およびＣｈ−ＬＣＤ２２０への電力供給を
停止するように、ＥＰＤ駆動部１１０およびＣｈ−ＬＣＤ駆動部１２０を制御する。以降
、ＥＰＤ２１０およびＣｈ−ＬＣＤ２２０は、電力の供給なしに表示を維持する。
【００４１】
以上で説明したように例３によれば、ＥＰＤ２１０の描き換えが行われた後、所定期間
は、コレステリック液晶分子をＨ配向以外の配向であるＦ配向にする制御信号がＣｈ−Ｌ
ＣＤ２２０に供給される。Ｆ配向はＨ配向よりも透過率が低いが、消費電力は低いので、
消費電力はより低減される。
【００４２】
３．他の実施形態
本発明は上述の実施形態に限定されるものではなく、種々の変形実施が可能である。実
施形態と共通する要素については共通の参照符号が用いられる。また、以下で説明する変
形例のうち２つ以上のものが組み合わせて用いられてもよい。
【００４３】
上述の実施形態においては、ＥＰＤ駆動部１１０およびＣｈ−ＬＣＤ駆動部１２０を制
御する機能はＣＰＵ１３０が有していた。しかし、ＣＰＵ１３０以外の制御装置がこの機
能を有していてもよい。例えば、ＥＰＤ駆動部１１０およびＣｈ−ＬＣＤ駆動部１２０を
制御する機能に特化した制御装置を設け、この制御装置を用いてもよい。
【００４４】
上述の実施形態においては、第１の表示体としてＥＰＤを用いる例について説明した。
しかし第１の表示体はＥＰＤに限定されるものではない。エレクトロクロミックディスプ
レイ・回転ボールディスプレイ・その他の記憶性表示体が用いられてもよい（ただしコレ
ステリック液晶を用いたものを除く）。
【００４５】
ＥＰＤ２１０およびＣｈ−ＬＣＤ２２０が表示できる色は実施形態で説明したものに限
定されない。どのような色が用いられてもよい。
【００４６】
制御信号の電圧値を切り換えるタイミング（すなわち、Ｆ配向駆動、Ｈ配向駆動、黒リ
セット駆動、白リセット駆動、描き換えなどの駆動段階を切り換えるタイミング）は、図
７−図１２に示すものに限定されない。例えば図７の例では、Ｃｈ−ＬＣＤ２２０の描き
換え時間がＥＰＤ２１０の描き換え時間よりも長いが、Ｃｈ−ＬＣＤ２２０の描き換え時
間の方が短くてもよい。また、Ｃｈ−ＬＣＤ２２０への電力供給を停止するタイミングが
ＥＰＤ２１０への電力供給を停止するタイミングよりも後であるが、Ｃｈ−ＬＣＤ２２０
への電力供給を停止するタイミングの方が先であってもよい。その他のタイミング、およ
びその他の例についても同様である。要は、ＥＰＤ駆動部１１０が出力する制御信号を切
り換えるタイミングとＣｈ−ＬＣＤ駆動部１２０が出力する制御信号を切り換えるタイミ
ングとが、所定の関係を満たしていればよい。すなわち、Ｃｈ−ＬＣＤ駆動部１２０が出
力する制御信号を切り換えるタイミングは、ＥＰＤ駆動部１１０が出力する制御信号を切
り換えるタイミングに基づいて定められていればよい。
【００４７】
Ｃｈ−ＬＣＤ２２０は、各々異なる波長の光を反射する、複数のコレステリック液晶層
を有していてもよい。この表示体によれば、例えば赤と黄の２色でマーカーや下線を付け
ることができる。
【００４８】
ＥＰＤ２１０とＣｈ−ＬＣＤ２２０とは、解像度が異なっていてもよい。特に、ＥＰＤ
に主たるコンテンツを表示し、Ｃｈ−ＬＣＤ２２０にはマーカーや下線などの書き込みを
表示させるという用途に限っていえば、Ｃｈ−ＬＣＤ２２０の解像度はＥＰＤ２１０の解
像度よりも低くてもよい。Ｃｈ−ＬＣＤ２２０を低解像度にすることにより、表示描き換
えがより高速化される。
【図面の簡単な説明】
【００４９】
【図１】一実施形態に係る情報表示装置１０の構成を示す図である。
【図２】表示体２００の断面構造を示す図である。
【図３】プレーナ配向を示す図である。
【図４】フォーカルコニック配向を示す図である。
【図５】ホメオトロピック配向を示す図である。
【図６】表示体２００に表示される画像を例示する図である。
【図７】例１における制御信号の切り替えタイミングを示す図である。
【図８】例１における表示制御部１００の動作を示すフローチャートである。
【図９】例２における制御信号の切り替えタイミングを示す図である。
【図１０】例２における表示制御部１００の動作を示すフローチャートである。
【図１１】例３における制御信号の切り替えタイミングを示す図である。
【図１２】例３における表示制御部１００の動作を示すフローチャートである。
【符号の説明】
【００５０】
１０…情報表示装置、１００…表示制御部、１１０…ＥＰＤ駆動部、１２０…Ｃｈ−ＬＣ
Ｄ駆動部、１３０…ＣＰＵ、２００…表示体、２１０…ＥＰＤ、２１１…ガラス基板、２
１２…共通電極、２１３…バインダ、２１４…電気泳動マイクロカプセル、２１５…白色
粒子、２１６…黒色粒子、２１７…画素電極、２１８…ＴＦＴ基板、２２０…Ｃｈ−ＬＣ
Ｄ、２２１…ガラス基板、２２２…データ電極、２２３…コレステリック液晶層、２２４
…走査電極、２２５…ガラス基板
【図１】
0005151318.tif 000002
【図２】
0005151318.tif 000003
【図３】
0005151318.tif 000004
【図４】
0005151318.tif 000005
【図５】
0005151318.tif 000006
【図６】
0005151318.tif 000007
【図７】
0005151318.tif 000008
【図８】
0005151318.tif 000009
【図９】
0005151318.tif 000010
【図１０】
0005151318.tif 000011
【図１１】
0005151318.tif 000012
【図１２】
0005151318.tif 000013